(57)【特許請求の範囲】
【請求項１】
商用のガスを空調、給湯、並びに前記空調及び前記給湯とは異なる他用途で消費する居住領域で消費された前記ガスの総消費量の経時変化を示す総消費量プロファイルと、前記居住領域において前記空調で消費される前記ガスの消費量に影響を与える因子として予め定められた因子と、前記居住領域における水温とに基づいて、前記居住領域において前記空調で消費される前記ガスの消費量の経時変化を示す空調プロファイルを導出する第１導出部と、
前記総消費量プロファイルと、前記他用途で消費される前記ガスの消費量の経時変化の特徴として予め定められた特徴を含めて規定された参照情報とに基づいて、前記居住領域において前記他用途で消費される前記ガスの消費量の経時変化を示す他用途プロファイルを導出し、導出した前記他用途プロファイルに相当する部分及び前記第１導出部により導出された前記空調プロファイルに相当する部分を前記総消費量プロファイルから減じることで、前記居住領域において前記給湯で消費される前記ガスの消費量の経時変化を示す給湯プロファイルを導出する第２導出部と、
を含むガス消費状況推定装置。
【請求項２】
前記予め定められた因子は、前記居住領域が属する地域の気象、前記居住領域に含まれる家屋の立地条件、及び前記家屋が有する特徴を含む請求項１に記載のガス消費状況推定装置。
【請求項３】
前記第１導出部は、前記居住領域において前記空調で消費される前記ガスの仮消費量の経時変化を示す空調仮プロファイルを前記予め定められた因子に基づいて導出し、前記総消費量プロファイルから特定される前記総消費量のうちの冬期の前記総消費量と前記冬期の前記水温との第１対応関係と、前記総消費量プロファイルから特定される前記総消費量のうちの非冬期の前記総消費量と前記非冬期の前記水温との第２対応関係との相違度及び前記空調仮プロファイルに基づいて前記空調プロファイルを導出する請求項１又は請求項２に記載のガス消費状況推定装置。
【請求項４】
前記第１導出部は、前記居住領域に対して適用される電力メータ及びガスメータのうちの少なくとも一方の計測結果に基づいて、前記居住領域における居住者の不在時間を導出し、導出した前記不在時間に基づいて前記空調仮プロファイルを補正し、補正した前記空調仮プロファイル及び前記相違度に基づいて前記空調プロファイルを導出する請求項３に記載のガス消費状況推定装置。
【請求項５】
前記第１対応関係は、前記総消費量プロファイルから特定される前記総消費量のうちの前記冬期の前記総消費量の７日間移動平均と前記冬期の前記水温との対応関係であり、
前記第２対応関係は、前記総消費量プロファイルから特定される前記総消費量のうちの前記非冬期の前記総消費量の７日間移動平均と前記非冬期の前記水温との対応関係である請求項３又は請求項４に記載のガス消費状況推定装置。
【請求項６】
前記他用途は、浴室乾燥、風呂保温、及びコンロに類別され、
前記浴室乾燥、前記風呂保温、及び前記コンロの各々に対して異なる前記参照情報が規定され、
前記第２導出部は、前記総消費量プロファイルから前記第１導出部により導出された前記空調プロファイルに相当する部分を減じることで残存する第１残存プロファイルを導出し、前記総消費量プロファイルと前記浴室乾燥に対して規定された前記参照情報とに基づいて、前記居住領域において前記浴室乾燥で消費される前記ガスの仮消費量の経時変化を示す浴室乾燥仮プロファイルを導出し、前記第１残存プロファイルから前記浴室乾燥仮プロファイルに相当する部分を減じることで残存する第２残存プロファイルを導出し、前記総消費量プロファイルと前記風呂保温に対して規定された前記参照情報とに基づいて、前記居住領域において前記風呂保温で消費される前記ガスの消費量の経時変化を示す風呂保温プロファイルを導出し、前記第２残存プロファイルから前記風呂保温プロファイルに相当する部分を減じることで残存する第３プロファイルを導出し、前記第３プロファイルに対して前記浴室乾燥仮プロファイルを加算した第４残存プロファイルを導出し、前記総消費量プロファイルと前記浴室乾燥に対して規定された前記参照情報とに基づいて、前記居住領域において前記浴室乾燥で消費される前記ガスの消費量の経時変化を示す浴室乾燥プロファイルを導出し、前記第４残存プロファイルから前記浴室乾燥プロファイルに相当する部分を減じることで残存する第５残存プロファイルを導出し、前記総消費量プロファイルと前記コンロに対して規定された前記参照情報とに基づいて、前記居住領域において前記コンロで消費される前記ガスの消費量の経時変化を示すコンロプロファイルを導出し、前記第５残存プロファイルから前記コンロプロファイルに相当する部分を減じることで前記給湯プロファイルを導出する請求項１から請求項５の何れか１項に記載のガス消費状況推定装置。
【請求項７】
前記他用途は、浴室乾燥、風呂保温、及びコンロに類別され、
前記浴室乾燥、前記風呂保温、及び前記コンロの各々に対して異なる前記参照情報が規定され、
前記第２導出部は、前記総消費量プロファイルと前記浴室乾燥に対して規定された前記参照情報とに基づいて、前記居住領域において前記浴室乾燥で消費される前記ガスの消費量の経時変化を示す浴室乾燥プロファイルを導出し、前記総消費量プロファイルと前記風呂保温に対して規定された前記参照情報とに基づいて、前記居住領域において前記風呂保温で消費される前記ガスの消費量の経時変化を示す風呂保温プロファイルを導出し、前記総消費量プロファイルと前記コンロに対して規定された前記参照情報とに基づいて、前記居住領域において前記コンロで消費される前記ガスの消費量の経時変化を示すコンロプロファイルを導出し、前記総消費量プロファイルから前記空調プロファイル、前記浴室乾燥プロファイル、前記風呂保温プロファイル、及び前記コンロプロファイルの各々に相当する部分を減じることで前記給湯プロファイルを導出する請求項１から請求項５の何れか１項に記載のガス消費状況推定装置。
【請求項８】
前記他用途は、風呂保温及びコンロに類別され、
前記風呂保温及び前記コンロの各々に対して異なる前記参照情報が規定され、
前記第２導出部は、前記総消費量と前記風呂保温に対して規定された前記参照情報とに基づいて、前記居住領域において前記風呂保温で消費される前記ガスの消費量の経時変化を示す風呂保温プロファイルを導出し、前記総消費量プロファイルと前記コンロに対して規定された前記参照情報とに基づいて、前記居住領域において前記コンロで消費される前記ガスの消費量の経時変化を示すコンロプロファイルを導出し、前記総消費量プロファイルから前記空調プロファイル、前記風呂保温プロファイル、及び前記コンロプロファイルの各々に相当する部分を減じることで前記給湯プロファイルを導出する請求項１から請求項５の何れか１項に記載のガス消費状況推定装置。
【請求項９】
前記他用途は、コンロであり、
前記第２導出部は、前記総消費量プロファイルと前記参照情報とに基づいて、前記居住領域において前記コンロで消費される前記ガスの消費量の経時変化を示すコンロプロファイルを導出し、前記総消費量プロファイルから前記空調プロファイル及び前記コンロプロファイルの各々に相当する部分を減じることで前記給湯プロファイルを導出する請求項１から請求項５の何れか１項に記載のガス消費状況推定装置。
【請求項１０】
コンピュータを、
請求項１から請求項９の何れか１項に記載のガス消費状況推定装置に含まれる第１導出部及び第２導出部として機能させるためのプログラム。
【発明の詳細な説明】
【技術分野】
【０００１】
本発明は、ガス消費状況推定装置及びプログラムに関する。
【背景技術】
【０００２】
特許文献１には、ガス器具のガス使用量の総和であるガス総使用量データをガス器具単位のガス使用量データに分解し、分解結果に基づいて各ガス使用量データに対するガス器具を特定するガス器具別使用量解析装置が開示されている。
【０００３】
特許文献２には、複数種類のガス器具毎にガス流量の特徴が規定された器具判定テーブルとガス流量の実測値とに基づいて、使用中のガス器具を判別するガス器具判別装置が開示されている。
【０００４】
特許文献１及び特許文献２に記載の技術を利用することで、例えば、一戸建ての家屋やマンションの居室などの居住領域において、１時間毎にスマートメータで計測されたガスの総消費量から用途毎にガスの消費状況を推定することが可能となる。
【先行技術文献】
【特許文献】
【０００５】
【特許文献１】特許第３１９９５３６号
【特許文献２】特許第４９９４８７５号
【発明の概要】
【発明が解決しようとする課題】
【０００６】
しかしながら、特許文献１及び特許文献２に記載の技術を用いて、居住領域における用途毎のガスの消費状況を推定するには、居住領域において使用される全てのガス器具のガス消費仕様を事前に把握しておく必要がある。また、年毎にガス器具やガス器具の使用態様が変化する各家庭では、ガス器具の詳細を把握することは現実的に困難である。
【０００７】
本発明は上記実情を鑑みて成されたものであり、居住領域において使用される全てのガス器具のガス消費仕様に基づいて用途毎のガスの消費状況を推定する場合に比べ、居住領域における用途毎のガスの消費状況を簡易に推定することができるガス消費状況推定装置及びプログラムを提供することを目的とする。
【課題を解決するための手段】
【０００８】
上記目的を達成するために、請求項１に記載のガス消費状況推定装置は、商用のガスを空調、給湯、並びに前記空調及び前記給湯とは異なる他用途で消費する居住領域で消費された前記ガスの総消費量の経時変化を示す総消費量プロファイルと、前記居住領域において前記空調で消費される前記ガスの消費量に影響を与える因子として予め定められた因子と、前記居住領域における水温とに基づいて、前記居住領域において前記空調で消費される前記ガスの消費量の経時変化を示す空調プロファイルを導出する第１導出部と、前記総消費量プロファイルと、前記他用途で消費される前記ガスの消費量の経時変化の特徴として予め定められた特徴を含めて規定された参照情報とに基づいて、前記居住領域において前記他用途で消費される前記ガスの消費量の経時変化を示す他用途プロファイルを導出し、導出した前記他用途プロファイルに相当する部分及び前記第１導出部により導出された前記空調プロファイルに相当する部分を前記総消費量プロファイルから減じることで、前記居住領域において前記給湯で消費される前記ガスの消費量の経時変化を示す給湯プロファイルを導出する第２導出部と、を含む。
【０００９】
請求項２に記載のガス消費状況推定装置は、請求項１に記載の発明において、前記予め定められた因子は、前記居住領域が属する地域の気象、前記居住領域に含まれる家屋の立地条件、及び前記家屋が有する特徴を含む、とされている。
【００１０】
請求項３に記載のガス消費状況推定装置は、請求項１又は請求項２に記載の発明において、前記第１導出部は、前記居住領域において前記空調で消費される前記ガスの仮消費量の経時変化を示す空調仮プロファイルを前記予め定められた因子に基づいて導出し、前記総消費量プロファイルから特定される前記総消費量のうちの冬期の前記総消費量と前記冬期の前記水温との第１対応関係と、前記総消費量プロファイルから特定される前記総消費量のうちの非冬期の前記総消費量と前記非冬期の前記水温との第２対応関係との相違度及び前記空調仮プロファイルに基づいて前記空調プロファイルを導出する、とされている。
【００１１】
請求項４に記載のガス消費状況推定装置は、請求項３に記載の発明において、前記第１導出部は、前記居住領域に対して適用される電力メータ及びガスメータのうちの少なくとも一方の計測結果に基づいて、前記居住領域における居住者の不在時間を導出し、導出した前記不在時間に基づいて前記空調仮プロファイルを補正し、補正した前記空調仮プロファイル及び前記相違度に基づいて前記空調プロファイルを導出する、とされている。
【００１２】
請求項５に記載のガス消費状況推定装置は、請求項３又は請求項４に記載の発明において、前記第１対応関係は、前記総消費量プロファイルから特定される前記総消費量のうちの前記冬期の前記総消費量の７日間移動平均と前記冬期の前記水温との対応関係であり、前記第２対応関係は、前記総消費量プロファイルから特定される前記総消費量のうちの前記非冬期の前記総消費量の７日間移動平均と前記非冬期の前記水温との対応関係である、とされている。
【００１３】
請求項６に記載のガス消費状況推定装置は、請求項１から請求項５の何れか１項に記載の発明において、前記他用途は、浴室乾燥、風呂保温、及びコンロに類別され、前記浴室乾燥、前記風呂保温、及び前記コンロの各々に対して異なる前記参照情報が規定され、前記第２導出部は、前記総消費量プロファイルから前記第１導出部により導出された前記空調プロファイルに相当する部分を減じることで残存する第１残存プロファイルを導出し、前記総消費量プロファイルと前記浴室乾燥に対して規定された前記参照情報とに基づいて、前記居住領域において前記浴室乾燥で消費される前記ガスの仮消費量の経時変化を示す浴室乾燥仮プロファイルを導出し、前記第１残存プロファイルから前記浴室乾燥仮プロファイルに相当する部分を減じることで残存する第２残存プロファイルを導出し、前記総消費量プロファイルと前記風呂保温に対して規定された前記参照情報とに基づいて、前記居住領域において前記風呂保温で消費される前記ガスの消費量の経時変化を示す風呂保温プロファイルを導出し、前記第２残存プロファイルから前記風呂保温プロファイルに相当する部分を減じることで残存する第３プロファイルを導出し、前記第３プロファイルに対して前記浴室乾燥仮プロファイルを加算した第４残存プロファイルを導出し、前記総消費量プロファイルと前記浴室乾燥に対して規定された前記参照情報とに基づいて、前記居住領域において前記浴室乾燥で消費される前記ガスの消費量の経時変化を示す浴室乾燥プロファイルを導出し、前記第４残存プロファイルから前記浴室乾燥プロファイルに相当する部分を減じることで残存する第５残存プロファイルを導出し、前記総消費量プロファイルと前記コンロに対して規定された前記参照情報とに基づいて、前記居住領域において前記コンロで消費される前記ガスの消費量の経時変化を示すコンロプロファイルを導出し、前記第５残存プロファイルから前記コンロプロファイルに相当する部分を減じることで前記給湯プロファイルを導出する、とされている。
【００１４】
請求項７に記載のガス消費状況推定装置は、請求項１から請求項５の何れか１項に記載の発明において、前記他用途は、浴室乾燥、風呂保温、及びコンロに類別され、前記浴室乾燥、前記風呂保温、及び前記コンロの各々に対して異なる前記参照情報が規定され、前記第２導出部は、前記総消費量プロファイルと前記浴室乾燥に対して規定された前記参照情報とに基づいて、前記居住領域において前記浴室乾燥で消費される前記ガスの消費量の経時変化を示す浴室乾燥プロファイルを導出し、前記総消費量プロファイルと前記風呂保温に対して規定された前記参照情報とに基づいて、前記居住領域において前記風呂保温で消費される前記ガスの消費量の経時変化を示す風呂保温プロファイルを導出し、前記総消費量プロファイルと前記コンロに対して規定された前記参照情報とに基づいて、前記居住領域において前記コンロで消費される前記ガスの消費量の経時変化を示すコンロプロファイルを導出し、前記総消費量プロファイルから前記空調プロファイル、前記浴室乾燥プロファイル、前記風呂保温プロファイル、及び前記コンロプロファイルの各々に相当する部分を減じることで前記給湯プロファイルを導出する、とされている。
【００１５】
請求項８に記載のガス消費状況推定装置は、請求項１から請求項５の何れか１項に記載の発明において、前記他用途は、風呂保温及びコンロに類別され、前記風呂保温及び前記コンロの各々に対して異なる前記参照情報が規定され、前記第２導出部は、前記総消費量と前記風呂保温に対して規定された前記参照情報とに基づいて、前記居住領域において前記風呂保温で消費される前記ガスの消費量の経時変化を示す風呂保温プロファイルを導出し、前記総消費量プロファイルと前記コンロに対して規定された前記参照情報とに基づいて、前記居住領域において前記コンロで消費される前記ガスの消費量の経時変化を示すコンロプロファイルを導出し、前記総消費量プロファイルから前記空調プロファイル、前記風呂保温プロファイル、及び前記コンロプロファイルの各々に相当する部分を減じることで前記給湯プロファイルを導出する、とされている。
【００１６】
請求項９に記載のガス消費状況推定装置は、請求項１から請求項５の何れか１項に記載の発明において、前記他用途は、コンロであり、前記第２導出部は、前記総消費量プロファイルと前記参照情報とに基づいて、前記居住領域において前記コンロで消費される前記ガスの消費量の経時変化を示すコンロプロファイルを導出し、前記総消費量プロファイルから前記空調プロファイル及び前記コンロプロファイルの各々に相当する部分を減じることで前記給湯プロファイルを導出する、とされている。
【００１７】
上記目的を達成するために、請求項１０に記載のプログラムは、コンピュータを、請求項１から請求項９の何れか１項に記載のガス消費状況推定装置に含まれる第１導出部及び第２導出部として機能させるためのプログラム、とされている。
【発明の効果】
【００１８】
請求項１及び請求項１０に係る発明によれば、居住領域において使用される全てのガス器具のガス消費仕様に基づいて用途毎のガスの消費状況を推定する場合に比べ、居住領域における用途毎のガスの消費状況を簡易に推定することができる。
【００１９】
請求項２に係る発明によれば、居住領域が属する地域の気象、居住領域に含まれる家屋の立地条件、及び家屋が有する特徴を使用しない場合に比べ、空調プロファイルを高精度に導出することができる。
【００２０】
請求項３に係る発明によれば、第１対応関係と第２対応関係との相違度及び空調仮プロファイルを使用しない場合に比べ、空調プロファイルを高精度に導出することができる。
【００２１】
請求項４に係る発明によれば、不在時間に基づいて空調仮プロファイルが補正されない場合に比べ、空調プロファイルを高精度に導出することができる。
【００２２】
請求項５に係る発明によれば、７日間移動平均を使用せずに第１対応関係及び第２対応関係を規定した場合に比べ、空調プロファイルを高精度に導出することができる。
【００２３】
請求項６に係る発明によれば、第１〜第５残存プロファイルを用いずに浴室乾燥プロファイル、風呂保温プロファイル、コンロプロファイル、及び給湯プロファイルを導出する場合に比べ、浴室乾燥プロファイル、風呂保温プロファイル、コンロプロファイル、及び給湯プロファイルを高精度に導出することができる。
【００２４】
請求項７に係る発明によれば、総消費量プロファイルのみで浴室乾燥プロファイル、風呂保温プロファイル、コンロプロファイル、及び給湯プロファイルを導出する場合に比べ、浴室乾燥プロファイル、風呂保温プロファイル、コンロプロファイル、及び給湯プロファイルを高精度に導出することができる。
【００２５】
請求項８に係る発明によれば、総消費量プロファイルのみで風呂保温プロファイル、コンロプロファイル、及び給湯プロファイルを導出する場合に比べ、風呂保温プロファイル、コンロプロファイル、及び給湯プロファイルを高精度に導出することができる。
【００２６】
請求項９に係る発明によれば、総消費量プロファイルのみでコンロプロファイル及び給湯プロファイルを導出する場合に比べ、コンロプロファイル及び給湯プロファイルを高精度に導出することができる。
【図面の簡単な説明】
【００２７】
【図１】第１〜第４実施形態に係るガス消費状況推定装置及びその周辺の構成の一例を示す概略構成図である。
【図２】第１〜第４実施形態に係るガス消費状況推定装置に含まれる二次記憶部の記憶内容の一例を示す概念図である。
【図３】第１〜第４実施形態に係るガス消費状況推定装置に含まれるＣＰＵの本発明に係る要部機能の一例を示す機能ブロック図である。
【図４】第１実施形態に係るガス消費状況推定処理の流れの一例を示すフローチャートである。
【図５】第１〜第４実施形態に係る空調ガス消費状況推定処理の流れの一例を示すフローチャートである。
【図６】第１〜第４実施形態に係る総消費量プロファイル、空調仮プロファイル、空調実測プロファイル、及び給湯実測プロファイルの一例を示すグラフである。
【図７】第１〜第４実施形態に係る総消費量プロファイル、空調実測プロファイル、給湯実測プロファイル、及び推定総和プロファイルの一例を示すグラフである。
【図８】第１〜第４実施形態に係る総消費量プロファイルのうちの冬期における特定の３日間の総消費量プロファイルの一例を示すグラフである。
【図９】第１〜第４実施形態に係る第１近似直線及び第２近似直線の一例を示すグラフである。
【図１０】第１〜第４実施形態に係るガス消費状況推定装置により導出された空調プロファイルを基に空調が使用されていると推定された頻度、及び実際に空調が使用された頻度の一例を示すヒストグラムである。
【図１１】第１〜第４実施形態に係る空調外用途プロファイル、風呂保温プロファイル、風呂保温実測プロファイル、浴室乾燥プロファイル、浴室乾燥実測プロファイル、給湯実測プロファイル、及び給湯プロファイルの一例を示すグラフである。
【図１２】５件分の家屋の空調及び給湯について、ガス消費状況推定処理の実行により得られた推定結果と実測結果との比較例を示すグラフである。
【図１３】第２実施形態に係るガス消費状況推定処理の流れの一例を示すフローチャートである。
【図１４】第３実施形態に係るガス消費状況推定処理の流れの一例を示すフローチャートである。
【図１５】第４実施形態に係るガス消費状況推定処理の流れの一例を示すフローチャートである。
【発明を実施するための形態】
【００２８】
以下、図面を参照して、本発明を実施するための形態の一例について詳細に説明する。なお、以下では、説明の便宜上、商用のガスを例に挙げて説明する。商用のガスとは、例えば、ガス供給会社から供給され、かつ、ガスメータにより消費量が計測可能なガスを指す。また、以下では、説明の便宜上、商用のガスを単に「ガス」と称する。
【００２９】
［第１実施形態］
一例として図１に示すように、本第１実施形態に係るガス消費状況推定装置１０は、ＣＰＵ（Ｃｅｎｔｒａｌ  Ｐｒｏｃｅｓｓｉｎｇ  Ｕｎｉｔ）１２、一次記憶部１４、及び二次記憶部１６を含む。ＣＰＵ１２、一次記憶部１４、及び二次記憶部１６は、バス１８を介して相互に接続されている。
【００３０】
なお、本第１実施形態では、ガス消費状況推定装置１０がパーソナル・コンピュータによって実現される場合を例示しているが、本発明はこれに限定されるものではなく、サーバ装置によっても実現可能であり、ガススマートメータに内蔵されているマイクロコンピュータによっても実現可能である。
【００３１】
ＣＰＵ１２は、ガス消費状況推定装置１０の全体の動作を制御する。一次記憶部１４は、揮発性のメモリであり、例えば、ＲＡＭ（Ｒａｎｄｏｍ  Ａｃｃｅｓｓ  Ｍｅｍｏｒｙ）である。二次記憶部１６は、不揮発性のメモリであり、例えば、フラッシュメモリやＨＤＤ（Ｈａｒｄ  Ｄｉｓｋ  Ｄｒｉｖｅ）である。
【００３２】
ガス消費状況推定装置１０は、インプット・アウトプット・インターフェース（Ｉ／Ｏ）２０を備えている。Ｉ／Ｏ２０は、ＣＰＵ１２と各種の入出力デバイスとを電気的に接続してＣＰＵ１２と各種の入出力デバイスとの間の各種情報の送受信を司る。ガス消費状況推定装置１０は、Ｉ／Ｏ２０に接続されることで、バス１８を介してＣＰＵ１２と電気的に接続される入出力デバイスとして、受付部２２、表示部２４、外部インタフェース（Ｉ／Ｆ）２６、及び通信Ｉ／Ｆ２８を備えている。
【００３３】
受付部２２は、ユーザからの指示を含む各種情報を受け付ける。受付部２２の一例としては、キーボード、マウス、及びタッチパネルなどの入力デバイスが挙げられる。
【００３４】
表示部２４は、受付部２２によって受け付けられた各種情報に応じてＣＰＵ１２によって実行された処理の結果や警報等を表示する。表示部２４の一例としては、液晶ディスプレイが挙げられる。
【００３５】
外部Ｉ／Ｆ２６は、外部装置（例えば、ＵＳＢメモリ）に接続され、外部装置とＣＰＵ１２との間の各種情報の送受信を司る。
【００３６】
通信Ｉ／Ｆ２８は、通信回線３０（例えば、専用線又はインターネット回線）に接続されている。通信回線３０には、ガスメータ３２、電力メータ３４、及び情報提供装置３６が接続されている。なお、ガスメータ３２及び電力メータ３４の各々の一例としては、スマートメータが挙げられる。
【００３７】
ガスメータ３２及び電力メータ３４、ガスを消費する家屋３８に設置されている。本第１実施形態において、家屋３８とは、ガスを空調、給湯、及び他用途で消費する家屋を指す。家屋３８の一例としては、一戸建ての住居、マンションの居室、高齢者入居施設、又は病院が挙げられる。
【００３８】
本第１実施形態において、空調とは、暖房を指す。暖房には、例えば、床暖房及びガスファンヒータが含まれる。本第１実施形態において、他用途とは、家屋３８でのガスの用途のうちの空調及び給湯とは異なる用途を指す。本第１実施形態において、他用途は、浴室乾燥、風呂保温、及びコンロに類別される。本第１実施形態において、浴室乾燥とは、家屋３８に設置されている浴室の乾燥を指し、風呂保温とは、家屋３８に設置されている浴室内の浴槽に張られている湯の保温を指し、コンロとは、家屋３８に設置されているコンロを指す。なお、本第１実施形態において、保温とは、例えば、指定された所定の温度範囲に湯の温度を保つことを意味する。
【００３９】
ガスメータ３２は、家屋３８で消費されるガスの消費量を単位時間毎に計測し、計測結果をガス消費状況推定装置１０の要求に応じて通信回線３０を介してガス消費状況推定装置１０に送信する。電力メータ３４は、家屋３８で消費される電力の消費量を単位時間毎に計測し、計測結果をガス消費状況推定装置１０の要求に応じて通信回線３０を介してガス消費状況推定装置１０に送信する。なお、本第１実施形態において、単位時間とは、１時間を指すが、これに限らず、単位時間は、数時間又は数分単位の時間であってもよい。
【００４０】
情報提供装置３６は、ガス消費状況推定装置１０の要求に応じた情報をガス消費状況推定装置１０に提供する。情報提供装置３６からガス消費状況推定装置１０に提供される情報としては、例えば、気象情報及び水温情報が挙げられる。本第１実施形態において、気象情報とは、ガス消費状況推定装置１０によって指定された家屋３８が属する地域における年間の単位時間毎の気象を示す情報を指す。本第１実施形態において、水温情報とは、ガス消費状況推定装置１０によって指定された家屋３８における年間の単位時間毎の水温を示す情報を指す。
【００４１】
一例として図２に示すように、二次記憶部１６は、ガス消費状況推定プログラム４０を記憶している。ＣＰＵ１２は、二次記憶部１６からガス消費状況推定プログラム４０を読み出して一次記憶部１４に展開する。そして、ＣＰＵ１２は、一次記憶部１４に展開したガス消費状況推定プログラム４０を実行することで、一例として図３に示す第１導出部４２及び第２導出部４４として動作する。
【００４２】
なお、ここではガス消費状況推定プログラム４０を二次記憶部１６から読み出す場合を例示しているが、必ずしも最初から二次記憶部１６に記憶させておく必要はない。例えば、ガス消費状況推定装置１０に接続されて使用されるＳＳＤ（Solid State Drive）、ＩＣカード、光磁気ディスク、ＣＤ−ＲＯＭなどの任意の可搬型の記憶媒体に先ずはガス消費状況推定プログラム４０を記憶させておいてもよい。そして、ＣＰＵ１２がこれらの可搬型の記憶媒体からガス消費状況推定プログラム４０を取得して実行するようにしてもよい。また、通信手段を介してガス消費状況推定装置１０に接続されるコンピュータ又はサーバ装置等の外部電子計算機の記憶部にガス消費状況推定プログラム４０を記憶させておいてもよい。この場合、ＣＰＵ１２は外部電子計算機からガス消費状況推定プログラム４０を取得して実行する。
【００４３】
第１導出部４２は、総消費量プロファイル、予め定められた因子、及び水温情報により示される水温に基づいて、家屋３８において空調で消費されるガスの消費量の経時変化を示す空調プロファイルを導出する。
【００４４】
なお、本第１実施形態において、経時変化とは、現時点までの過去一年分の単位時間毎の変化を指すが、これに限らず、経時変化は、現時点までの過去数日分、数箇月分、又は数年分の時間単位毎の変化であってもよい。また、経時変化は、指定された過去の特定期間の時間単位毎の変化であってもよい。
【００４５】
また、本第１実施形態において、総消費量プロファイルとは、家屋３８で消費されたガスの総消費量の経時変化を示すプロファイルを指す。なお、総消費量プロファイルは、例えば、ガスメータ３２による現時点までの過去一年分の計測結果を基に第１導出部４２によって作成される。
【００４６】
また、本第１実施形態において、予め定められた因子とは、家屋３８において空調で消費されるガスの消費量に影響を与える因子として予め定められた因子を指す。本第１実施形態において、予め定められた因子には、気象情報により示される気象、家屋３８の立地条件（以下、「立地条件」と称する）、及び家屋３８が有する特徴（以下、「家屋特徴」と称する）が含まれるが、本発明はこれに限定されるものではない。予め定められた因子は、例えば、気象、立地条件、及び家屋特徴のうちの少なくとも１つ又は２つであっても良いし、気象、立地条件、及び家屋特徴のうちの１つ以上と他の条件とを付け加えたものであってもよい。
【００４７】
また、本第１実施形態において、気象とは、例えば、単位時間毎の気温、単位時間毎の湿度、及び単位時間毎の日射量を指す。また、家屋３８の立地条件とは、例えば、住所、隣接家屋までの距離、隣接家屋の高さ、及び単位時間毎の太陽の位置を指す。また、家屋特徴は、構造特徴、内部発熱要素、及び空調条件に類別される。構造特徴とは、例えば、床面積、窓面積、壁面積、断熱性能、ガラスの仕様、熱容量、換気回数、壁条件（外気／界壁）、及び庇の大きさ・形状・位置を指す。内部発熱要素とは、例えば、電化製品の種類・個数、及び居住人数を指す。空調条件とは、例えば、床暖房やガスファンヒータ等の空調設備に対して設定されている温度や湿度を指す。
【００４８】
第２導出部４４は、総消費量プロファイルと参照情報とに基づいて他用途プロファイルを導出する。そして、第２導出部４４は、導出した他用途プロファイル及び第１導出部４２により導出された空調プロファイルの各々に相当する部分を総消費量プロファイルから減じることで給湯プロファイルを導出する。
【００４９】
本第１実施形態において、参照情報とは、家屋３８において他用途で消費されるガスの消費量の経時変化の特徴として予め定められた特徴を含めて規定された情報を指す。本第１実施形態では、一例として図２に示すように、参照情報として、浴室乾燥参照情報４８、風呂保温参照情報５０、及びコンロ参照情報５２が二次記憶部１６に記憶されている。なお、浴室乾燥参照情報４８、風呂保温参照情報５０、及びコンロ参照情報５２は、例えば、シミュレーション、実験、及び調査等の結果から事前に得られた情報である。
【００５０】
浴室乾燥参照情報４８は、浴室乾燥に対して規定されている。浴室乾燥参照情報４８とは、浴室乾燥でガスが消費されている場合のガスピーク値、連続使用時間、及び電力ピーク値が対応付けられた情報を指す。本第１実施形態において、ガスピーク値とは、ガスの消費量のピーク値として予め定められた値を指す。本第１実施形態において、連続使用時間とは、ガスが連続して使用されている時間として単位時間で規定された予め定められた時間を指す。本第１実施形態において、電力ピーク値とは、電力の消費量のピーク値として予め定められた値を指す。
【００５１】
風呂保温参照情報５０は、風呂保温に対して規定されている。風呂保温参照情報５０とは、風呂保温でガスが消費されている場合の風呂保温時間帯、ガスピーク値、及び連続使用時間が対応付けられた情報を指す。本第１実施形態において、風呂保温時間帯とは、風呂保温でガスが消費される時間帯として予め定められた時間帯を指す。
【００５２】
コンロ参照情報５２は、コンロに対して規定されている。コンロ参照情報５２は、コンロでガスが消費されている場合のコンロ時間帯及びガスピーク値が対応付けられた情報を指す。本第１実施形態において、コンロ時間帯とは、コンロでガスが消費される時間帯として予め定められた時間帯を指す。
【００５３】
本第１実施形態において、他用途プロファイルとは、家屋３８において他用途で消費されるガスの消費量の経時変化を示すプロファイルを指す。本第１実施形態において、他用途プロファイルは、浴室乾燥仮プロファイル、風呂保温プロファイル、浴室乾燥プロファイル、及びコンロプロファイルに類別される。
【００５４】
本第１実施形態において、浴室乾燥仮プロファイルとは、家屋３８において浴室乾燥で消費されるガスの仮消費量の経時変化を示すプロファイルを指す。本第１実施形態において、風呂保温プロファイルとは、家屋３８において風呂保温で消費されるガスの消費量の経時変化を示すプロファイルを指す。本第１実施形態において、浴室乾燥プロファイルとは、家屋３８において浴室乾燥で消費されるガスの消費量の経時変化を示すプロファイルを指す。本第１実施形態において、コンロプロファイルとは、家屋３８においてコンロで消費されるガスの消費量の経時変化を示すプロファイルを指す。
【００５５】
本第１実施形態において、給湯プロファイルとは、家屋３８において給湯で消費されるガスの消費量の経時変化を示すプロファイルを指す。
【００５６】
次に、ガス消費状況推定処理の実行の開始の指示が受付部２２によって受け付けられた場合にＣＰＵ１２がガス消費状況推定プログラム４０を実行することで実現されるガス消費状況推定処理について、図４及び図５を参照して説明する。
【００５７】
なお、以下では、説明の便宜上、予め指定された家屋３８を対象とした現時点までの過去一年間におけるガスの用途別の消費状況を推定する場合について説明する。
【００５８】
また、以下では、説明の便宜上、ガスの消費状況の推定対象として指定された家屋３８についての水温情報が情報提供装置３６から提供され、提供された水温情報が二次記憶部１６に既に記憶されていることを前提として説明する。
【００５９】
また、以下では、説明の便宜上、ガスの消費状況の推定対象として指定された家屋３８についてのガスの消費状況を推定するにあたって必要となる予め定められた因子が二次記憶部１６に既に記憶されていることを前提として説明する。
【００６０】
また、以下では、説明の便宜上、予め定められた因子に含まれる気象は、ガスの消費状況の推定対象として指定された家屋３８における現時点までの過去一年分の単位時間毎の気象であることを前提として説明する。
【００６１】
また、以下では、説明の便宜上、ガスの消費状況の推定対象として指定された家屋３８についての電力プロファイルが二次記憶部１６に既に記憶されていることを前提として説明する。ここで、電力プロファイルとは、ガスの消費状況の推定対象として指定された家屋３８における電力メータ３４による現時点までの過去一年分の計測結果から特定される電力の消費量の経時変化を示すプロファイルを指す。
【００６２】
また、以下では、説明の便宜上、ガスの消費状況の推定対象として指定された家屋３８についての総消費量プロファイルが二次記憶部１６に既に記憶されていることを前提として説明する。
【００６３】
また、以下では、説明の便宜上、空調が暖房であることを前提として説明する。
【００６４】
図４に示すガス消費状況推定処理では、先ず、ステップ１００で、第１導出部４２は、一例として図５に示す空調ガス消費状況推定処理を実行する。
【００６５】
一例として図５に示す空調ガス消費状況推定処理では、先ず、ステップ１００Ａで、第１導出部４２は、二次記憶部１６から予め定められた因子を取得し、その後、ステップ１００Ｂへ移行する。
【００６６】
ステップ１００Ｂで、第１導出部４２は、ステップ１００Ａで取得した予め定められた因子に基づいて、一例として図６に示す空調仮プロファイル５６を導出する。図６に示す例では、縦軸がガスの総消費量を示し、横軸が１時間単位の日時を示している。
【００６７】
空調仮プロファイル５６とは、例えば、家屋３８に年間を通して居住者が在住しているという前提で家屋３８の全体において空調で消費されるガスの仮消費量の経時変化を示す情報を指す。家屋３８において空調で消費されるガスの仮消費量は、例えば、予め定められた因子に基づいて下記の数式（１）により導出される。
【００６８】
（空調で消費されるガスの仮消費量）＝（外皮からの熱ロス）−（日射熱取得）±（内部発熱）＋（換気ロス）＋（潜熱負荷）・・・・（１）
【００６９】
ここで、数式（１）において、外皮からの熱ロスとは、家屋３８の外面から大気への放熱（家屋３８の構造の窓・床・壁面積、断熱性能、及びガラス仕様など）を指す。また、日射熱取得とは、壁、窓、屋根、日向、及び日陰による日射熱の取得、すなわち、大気から家屋３８への入熱（気象、家屋特徴、立地条件などにより定まる入熱）を指す。また、内部発熱とは、家電、照明、人数等により定まる発熱を指す。また、換気ロスとは、空気入れ替え（換気回数は想定）による熱のロスを指す。更に、潜熱負荷とは、冷暖房負荷のうち潜熱によるもので、水蒸気量の出入りによる増減を指す。なお、水蒸気量の出入りによる増減は、人体、取り入れ外気、及び隙間風等による水蒸気が発生源となる。
【００７０】
次のステップ１００Ｃで、第１導出部４２は、二次記憶部１６から電力プロファイルを取得し、その後、ステップ１００Ｄへ移行する。
【００７１】
ステップ１００Ｄで、第１導出部４２は、ステップ１００Ｃで取得した電力プロファイルから家屋３８の居住者の不在時間（図６及び図７参照）を特定する。そして、第１導出部４２は、特定した不在時間に基づいて、ステップ１００Ｂで導出した空調仮プロファイル５６を補正することで、補正空調仮プロファイルを導出する。
【００７２】
本ステップ１００Ｄにおいて、空調仮プロファイル５６の補正とは、例えば、空調仮プロファイル５６から家屋３８の居住者の不在時間に相当する部分を除去することを含む処理を指す。よって、空調仮プロファイル５６から不在時間に相当する部分が除去されて残存した部分が補正空調仮プロファイルとなる。
【００７３】
次のステップ１００Ｅで、第１導出部４２は、二次記憶部１６から総消費量プロファイルを取得し、その後、ステップ１００Ｆへ移行する。図６〜図８には、本ステップ１００Ｅで取得された総消費量プロファイルの一例である総消費量プロファイル５８が示されている。図７に示す例では、縦軸がガスの総消費量を示し、横軸が１時間単位の時間を示している。図８に示す例では、縦軸がガスの総消費量を示し、横軸が１時間単位の時間を示している。なお、以下では、説明の便宜上、本ステップ１００Ｅで総消費量プロファイル５８が取得されたことを前提として説明する。
【００７４】
ステップ１００Ｆで、第１導出部４２は、二次記憶部１６から水温情報を取得し、その後、ステップ１００Ｇへ移行する。
【００７５】
ステップ１００Ｇで、第１導出部４２は、ステップ１００Ｅで取得した総消費量プロファイル５８及びステップ１００Ｆで取得した水温情報に基づいて、一例として図９に示すように、水温４０度を起点とした第１近似直線α及び第２近似直線βを作成する。なお、図９に示す例では、縦軸がガスの総消費量を示し、横軸が水温を示している。
【００７６】
本発明に係る第１対応関係の一例である第１近似直線αは、ステップ１００Ｅで取得された総消費量プロファイル５８から特定される冬期の総消費量の７日間移動平均と水温情報により示される水温のうちの冬期の水温との対応関係を示す近似直線である。
【００７７】
本発明に係る第２対応関係の一例である第２近似直線βは、ステップ１００Ｅで取得された総消費量プロファイル５８から特定される中間期の総消費量の７日間移動平均と水温情報により示される水温のうちの中間期の水温との対応関係を示す近似直線である。なお、中間期は、本発明に係る非冬期の一例である。
【００７８】
本第１実施形態において、中間期とは、年間のうちの夏期と冬期との間の期間を指す。具体的には、６月１１日から９月１９日までの期間が夏期であり、１０月２９日から３月３１日までの期間が冬期であり、夏季及び冬期以外の期間が中間期である。
【００７９】
次のステップ１００Ｈで、第１導出部４２は、近似直線αの傾きと近似直線βの傾きとの差分を算出する。近似直線αの傾きと近似直線βの傾きとの差分は、冬期の空調で消費されるガスの消費量に対応する値であり、本発明に係る相違度の一例である。なお、ここでは、近似直線αの傾きと近似直線βの傾きとの差分を採用しているが、本発明はこれに限定されるものではなく、例えば、近似直線αの傾きに対する近似直線βの傾きの割合であってもよく、近似直線αと近似直線βとの相違度を表す値であればよい。
【００８０】
そこで、次のステップ１００Ｉで、第１導出部４２は、ステップ１００Ｈで算出した差分に基づいて、ステップ１００Ｄで導出した補正空調仮プロファイルを補正することで空調プロファイルを導出する。
【００８１】
本ステップ１００Ｉでは、先ず、ステップ１００Ｈで算出された差分及び総消費量プロファイル５８に基づいて、空調で消費されるガスの総消費量である空調ガス総消費量が導出される。次に、補正空調仮プロファイルにより示される仮消費量の総量に対する空調ガス総消費量の割合が算出される。次に、補正空調仮プロファイルにより示される仮消費量の総量に対する空調ガス総消費量の割合が、補正空調仮プロファイルでの単位時間毎のガスの消費量に乗じられる。この結果、補正空調仮プロファイルが縮小され、縮小されて得られたプロファイルが空調プロファイルとなる。
【００８２】
一例として図１０に示すように、空調プロファイルを基に空調が使用されていると推定された頻度（図１０に示す「推定」）は、実際に空調が使用された頻度（図１０に示す「実測」）と各時刻で近似している。なお、図１０に示す例では、縦軸が頻度であり、横軸が時刻である。
【００８３】
次のステップ１００Ｊで、第１導出部４２は、ステップ１００Ｉで導出した空調プロファイルを予め定められた出力先に出力し、その後、本空調ガス消費状況推定処理を終了して、図４に示すガス消費状況推定処理のステップ１０２へ移行する。
【００８４】
なお、本第１実施形態において、予め定められた出力先とは、例えば、二次記憶部１６、表示部２４、外部Ｉ／Ｆ２６、及び通信Ｉ／Ｆ２８の少なくとも１つを指す。
【００８５】
ステップ１０２で、第２導出部４４は、ステップ１００Ｅで取得された総消費量プロファイル５８から、ステップ１００Ｉで導出された空調プロファイルに相当する部分を減じることで、第１残存プロファイルを導出する。すなわち、ステップ１００Ｅで第１導出部４２により取得された総消費量プロファイル５８から、ステップ１００Ｉで導出された空調プロファイルに相当する部分を減じることで残存したプロファイルが第１残存プロファイルとなる。
【００８６】
ところで、風呂保温でガスが消費されている間、浴室乾燥でもガスが消費される傾向があるという経験則が知られている。理想的には、浴室乾燥で消費されるガスの消費量の全ては、浴室乾燥プロファイルに含まれるべきであるが、上記の経験則により、実際には、浴室乾燥で消費されるガスの消費量が部分的に風呂保温プロファイルに含まれてしまう。給湯プロファイルは、風呂保温プロファイル及び浴室乾燥プロファイルを基に導出されるため、浴室乾燥プロファイル及び風呂保温プロファイルの精度が低下すると、これに伴って、給湯プロファイルの精度も低下することなる。
【００８７】
そこで、本ガス消費状況推定処理では、風呂保温プロファイルの精度の低下を抑制するための前処理として、ステップ１０４，１０６の処理が実行される。また、浴室乾燥プロファイルの精度の低下を抑制するための前処理として、ステップ１０４〜１０８，１１２，１１４の処理が実行される。
【００８８】
ステップ１０４で、第２導出部４４は、二次記憶部１６から浴室乾燥参照情報を取得し、取得した浴室乾燥参照情報を参照して、ステップ１００Ｅで取得された総消費量プロファイル５８から浴室乾燥仮プロファイルを導出する。すなわち、本ステップ１０４では、先ず、電力プロファイルのうちの浴室乾燥参照情報により示される電力ピーク値が合致する時間帯である電力ピーク時間帯が導出される。そして、総消費量プロファイル５８のうち、電力ピーク時間帯において浴室乾燥参照情報により示されるガスピーク値及び連続使用時間に合致する部分が浴室乾燥仮プロファイルとして導出される。
【００８９】
なお、本第１実施形態において、合致とは、完全な合致のみを意味するわけではなく、許容される誤差として予め定められた誤差を含めた合致も意味する。
【００９０】
次のステップ１０６で、第２導出部４４は、ステップ１０２で導出した第１残存プロファイルから、ステップ１０４で導出した浴室乾燥仮プロファイルに相当する部分を減じることで、第２残存プロファイルを導出する。すなわち、ステップ１０２で導出した第１残存プロファイルから、ステップ１０４で導出した浴室乾燥仮プロファイルに相当する部分を減じることで残存したプロファイルが第２残存プロファイルとなる。
【００９１】
次のステップ１０８で、第２導出部４４は、二次記憶部１６から風呂保温参照情報を取得し、取得した風呂保温参照情報を参照して、ステップ１００Ｅで取得された総消費量プロファイル５８から、一例として図１１に示す風呂保温プロファイル６４を導出する。なお、図１１に示す例では、縦軸がガスの消費量を示し、横軸が１時間単位の時間を示している。
【００９２】
本ステップ１０８では、総消費量プロファイル５８のうち、風呂保温参照情報により示される風呂保温時間帯、ガスピーク値、及び連続使用時間に合致する部分が風呂保温プロファイル６４として導出される。
【００９３】
なお、一例として図１１に示すように、本ステップ１０８で導出された風呂保温プロファイル６４のピークの位置は、家屋３８において実際に風呂保温で消費されたガスの消費量の経時変化を示す風呂保温実測プロファイル６６のピークの位置に近接している。また、一例として図１１に示すように、風呂保温プロファイル６４のピークの位置は、空調以外の用途で使用されたガスの総消費量の経時変化を示す空調外用途プロファイル７５のピークの位置にも近接している。
【００９４】
次のステップ１１０で、第２導出部４４は、ステップ１０８で導出した風呂保温プロファイル６４を予め定められた出力先に出力し、その後、ステップ１１２へ移行する。
【００９５】
ステップ１１２で、第２導出部４４は、ステップ１０６で導出した第２残存プロファイルから、ステップ１０８で導出した風呂保温プロファイル６４に相当する部分を減じることで、第３残存プロファイルを導出する。すなわち、ステップ１０６で導出した第２残存プロファイルから、ステップ１０８で導出した風呂保温プロファイル６４に相当する部分を減じることで残存したプロファイルが第３残存プロファイルとなる。
【００９６】
次のステップ１１４で、第２導出部４４は、ステップ１０４で導出した浴室乾燥仮プロファイルとステップ１１２で導出した第３残存プロファイルとに基づいて第４残存プロファイルを導出する。すなわち、ステップ１０４で導出した浴室乾燥仮プロファイルに、ステップ１１２で導出した第３残存プロファイルを加算して得たプロファイルが第４残存プロファイルとなる。
【００９７】
次のステップ１１６で、第２導出部４４は、二次記憶部１６から浴室乾燥参照情報を取得し、取得した浴室乾燥参照情報を参照して、ステップ１００Ｅで取得された総消費量プロファイル５８から、一例として図１１に示す浴室乾燥プロファイル６８を導出する。すなわち、本ステップ１０４では、先ず、電力プロファイルのうちの浴室乾燥参照情報により示される電力ピーク値が合致する時間帯である電力ピーク時間帯が導出される。そして、総消費量プロファイル５８のうち、電力ピーク時間帯において浴室乾燥参照情報により示されるガスピーク値及び連続使用時間に合致する部分が浴室乾燥仮プロファイルとして導出される。
【００９８】
なお、一例として図１１に示すように、浴室乾燥プロファイル６８のピークの位置は、家屋３８において実際に浴室乾燥で消費されたガスの消費量の経時変化を示す浴室乾燥実測プロファイル７０のピークの位置に近接している。
【００９９】
次のステップ１１８で、第２導出部４４は、ステップ１１６で導出した浴室乾燥プロファイルを予め定められた出力先に出力し、その後、ステップ１２０へ移行する。
【０１００】
ステップ１２０で、第２導出部４４は、ステップ１１４で導出した第４残存プロファイルから、ステップ１１６で導出した浴室乾燥プロファイル６８に相当する部分を減じることで、第５残存プロファイルを導出する。すなわち、ステップ１１４で導出した第４残存プロファイルから、ステップ１１６で導出した浴室乾燥プロファイル６８に相当する部分を減じることで残存したプロファイルが第５残存プロファイルとなる。
【０１０１】
次のステップ１２２で、第２導出部４４は、二次記憶部１６からコンロ参照情報を取得し、取得したコンロ参照情報を参照して、ステップ１００Ｅで取得された総消費量プロファイル５８から、コンロプロファイルを導出する。すなわち、総消費量プロファイル５８のうち、コンロ参照情報により示されるコンロ時間帯及びガスピーク値に合致する部分がコンロプロファイルとして導出される。
【０１０２】
ここで、年間を通してコンロで消費されるガスの消費量である年間コンロガス消費量の導出方法の一例を説明する。
【０１０３】
先ず、第２導出部４４は、総消費量プロファイル５８からガスの消費量が１．５キロワット（ｋＷ）以下の時間帯を抽出する。
【０１０４】
次に、第２導出部４４は、日毎に（２４時間毎）に、ガスの消費量のピーク値のうち、高さの低い方から４つのピーク値を抽出し、抽出した４つのピーク値を、コンロで消費されるガスの消費量（以下、「１日コンロガス消費量」と称する）として仮置きする。また、第２導出部４４は、夏季及び中間期においてコンロ単独でガスを使用した場合の１回あたりのガスの平均使用量Ｘを導出する。平均使用量Ｘは、夏期及び中間期における全日数分の上記の４つのピーク値の総和を４で割って得た値である。
【０１０５】
冬期は、夏期や中間期に比べ、給湯や空調などで消費されるガスの消費量のノイズが多い。そこで、第２導出部４４は、仮置きした１日コンロガス消費量のうち、夏期及び中間期の１日コンロガス消費量を抽出する。
【０１０６】
次に、第２導出部４４は、夏期及び中間期について抽出した１日ガスコンロ消費量の時間帯から、ガスの消費量が１．５キロワット以下等の制限を設けず、２時間以上連続してガスを消費している時間帯である連続消費時間帯を抽出する。
【０１０７】
次に、第２導出部４４は、連続消費時間帯のうち、２時間以上連続してガスを消費している時間帯はコンロ単独でガスを消費していない時間帯とみなす。そして、コンロ単独でガスを消費していないとみなした時間帯の中に、コンロでガスが消費されている時間帯がどの程度あるか推測し、推測した時間帯に基づいて年間コンロガス消費量を求める。
【０１０８】
具体的には、先ず、中間期と夏期で１．５キロワット以下のガスの消費量を計測した場合はコンロ単独によるガスの消費であると想定し、１．５キロワット以下のガスの消費量を計測した日数をＣとする。次に、中間期及び夏期で２時間以上連続してガスを消費した日数を中間期及び夏期の総日数Ｂから減じて得た日数をＡ（中間期及び夏期で２時間以上連続してガスの消費がなかった日数）とする。この場合、コンロ単独でガスが消費された日数が抽出される確率はＣ／Ａとなるので、コンロでガスを消費する日数はＢ×Ｃ／Ａとなる。この日数を冬期まで含めた年間に展開して、コンロでガスが消費された日数を算出する。そして、算出した日数を１日コンロガス消費量に乗じることで年間コンロガス消費量を求める。
【０１０９】
なお、“｛（Ｂ×Ｃ）／Ａ｝−Ｃ”は、２時間以上連続してガスを使用した日数（例えば、コンロ以外に給湯でもガスが使用されている可能性が含まれる日数）であるので、コンロプロファイルは、上記の４つのピーク値及び“｛（Ｂ×Ｃ）／Ａ｝−Ｃ”に基づいて導出される。
【０１１０】
次のステップ１２４で、第２導出部４４は、ステップ１２２で導出したコンロプロファイルを予め定められた出力先に出力し、その後、ステップ１２６へ移行する。
【０１１１】
次のステップ１２６で、第２導出部４４は、ステップ１２０で導出した第５残存プロファイルから、ステップ１２４で導出したコンロプロファイルに相当する部分を減じることで、一例として図１１に示す給湯プロファイル７２を導出する。すなわち、ステップ１２０で導出した第５残存プロファイルから、ステップ１２４で導出したコンロプロファイルに相当する部分を減じること（例えば、日毎に、上記の４つのピーク値に相当する部分を減じること、及び、日毎に、第５残存プロファイルにおけるピーク値のうちの最大側の４つのピーク値の各々から上記の平均使用量Ｘを減じること）で残存したプロファイルが給湯プロファイル７２となる。
【０１１２】
なお、一例として図１１に示すように、給湯プロファイル７２のピークの位置は、家屋３８において実際に給湯で消費されたガスの消費量の経時変化を示す給湯実測プロファイル７３のピークの位置に近接している。
【０１１３】
次のステップ１２８で、第２導出部４４は、ステップ１２６で導出した給湯プロファイル７２を予め定められた出力先に出力し、その後、本ガス消費状況推定処理を終了する。
【０１１４】
図７には、本ガス消費状況推定処理が実行されることで得られた推定総和プロファイル７４の一例が示されている。推定総和プロファイル７４は、空調プロファイル、浴室乾燥プロファイル６８、コンロプロファイル、及び給湯プロファイル７２の総和を示すプロファイルである。一例として図７に示すように、推定総和プロファイル７４の変動の傾向は、総消費量プロファイル５８の変動の傾向と類似している。
【０１１５】
図１２には、５件の家屋３８の各々を推定対象として本ガス消費状況推定処理が実行されて得られた空調プロファイル及び給湯プロファイルから特定されたガスの消費量の総和と空調及び給湯で実際に消費されたガスの消費量の総和との比較例が示されている。一例として図１２に示すように、何れの家屋３８についても、空調プロファイル及び給湯プロファイルから特定されたガスの消費量の総和は、空調及び給湯で実際に消費されたガスの消費量の総和と近似している。
【０１１６】
図７及び図１２に示す例からも明らかなように、ユーザは、空調プロファイル、浴室乾燥プロファイル６８、コンロプロファイル、及び給湯プロファイル７２を基に、家屋３８で消費されるガスの総消費量の概略を把握することができる。
【０１１７】
以上説明したように、ガス消費状況推定装置１０では、第１導出部４２により、総消費量プロファイル５８、予め定められた因子、及び水温に基づいて、空調プロファイルが導出される。また、第２導出部４４により、総消費量プロファイル５８及び参照情報に基づいて、他用途プロファイルが導出される。そして、第２導出部４４により、他用途プロファイルに相当する部分及び第１導出部４２により導出された空調プロファイルに相当する部分が総消費量プロファイルから減じられることで、給湯プロファイル７２が導出される。従って、ガス消費状況推定装置１０によれば、家屋３８において使用される全てのガス器具のガス消費仕様に基づいて用途毎のガスの消費状況を推定する場合に比べ、家屋３８における用途毎のガスの消費状況を簡易に推定することができる。
【０１１８】
また、ガス消費状況推定装置１０では、予め定められた因子に、気象、立地条件、及び家屋特徴が含まれる。従って、ガス消費状況推定装置１０によれば、気象、立地条件、及び家屋特徴を使用しない場合に比べ、空調プロファイルを高精度に導出することができる。
【０１１９】
また、ガス消費状況推定装置１０では、第１導出部４２により、予め定められた因子に基づいて空調仮プロファイル５６が導出される。また、第１導出部４２により、第１近似直線αと第２近似直線βとの傾きの差分、及び空調仮プロファイル５６に基づいて空調プロファイルが導出される。従って、ガス消費状況推定装置１０によれば、第１近似直線αと第２近似直線βとの傾きの差分、及び空調仮プロファイル５６を使用しない場合に比べ、空調プロファイルを高精度に導出することができる。
【０１２０】
また、ガス消費状況推定装置１０では、第１導出部４２により、電力プロファイルに基づいて導出された不在時間に基づいて空調仮プロファイル５６が補正される。そして、第１導出部４２により、補正されて得られた補正空調仮プロファイル、及び第１近似直線αと第２近似直線βとの傾きの差分に基づいて空調プロファイルが導出される。従って、ガス消費状況推定装置１０によれば、補正空調仮プロファイル、及び第１近似直線αと第２近似直線βとの傾きの差分を使用しない場合に比べ、空調プロファイルを高精度に導出することができる。
【０１２１】
また、ガス消費状況推定装置１０では、第１近似直線αが、総消費量プロファイル５８から特定される冬期の総消費量の７日間移動平均と水温情報により示される水温のうちの冬期の水温との対応関係を示す近似直線とされている。また、第２近似直線βが、総消費量プロファイル５８から特定される中間期の総消費量の７日間移動平均と水温情報により示される水温のうちの中間期の水温との対応関係を示す近似直線とされている。従って、ガス消費状況推定装置１０によれば、７日間移動平均を使用せずに第１近似直線α及び第２近似直線βが規定された場合に比べ、空調プロファイルを高精度に導出することができる。
【０１２２】
また、ガス消費状況推定装置１０では、第２導出部４４により、総消費量プロファイル５８から空調プロファイルに相当する部分が減じられることで第１残存プロファイルが導出される。また、第２導出部４４により、総消費量プロファイル５８及び浴室乾燥参照情報４８に基づいて浴室乾燥仮プロファイルが導出される。
【０１２３】
また、第２導出部４４により、第１残存プロファイルから浴室乾燥仮プロファイルに相当する部分が減じられることで第２残存プロファイルが導出される。また、第２導出部４４により、総消費量プロファイル５８及び風呂保温参照情報５０に基づいて風呂保温プロファイル６４が導出される。
【０１２４】
また、第２導出部４４により、第２残存プロファイルから風呂保温プロファイル６４に相当する部分が減じられることで第３残存プロファイルが導出される。また、第２導出部４４により、第３残存プロファイルに対して浴室乾燥仮プロファイルが加算されることで第４残存プロファイルが導出される。
【０１２５】
また、第２導出部４４により、総消費量プロファイル５８及び浴室乾燥参照情報４８に基づいて浴室乾燥プロファイル６８が導出される。また、第２導出部４４により、第４残存プロファイルから浴室乾燥プロファイル６８に相当する部分が減じられることで第５残存プロファイルが導出される。また、第２導出部４４により、総消費量プロファイル５８及びコンロ参照情報５２に基づいてコンロプロファイルが導出される。
【０１２６】
そして、第２導出部４４により、第５残存プロファイルからコンロプロファイルに相当する部分が減じられることで給湯プロファイル７２が導出される。
【０１２７】
従って、ガス消費状況推定装置１０によれば、第１〜第５残存プロファイルを用いずに浴室乾燥プロファイル６８、風呂保温プロファイル６４、コンロプロファイル、及び給湯プロファイル７３を導出する場合に比べ、浴室乾燥プロファイル６８、風呂保温プロファイル６４、コンロプロファイル、及び給湯プロファイル７３を高精度に導出することができる。
【０１２８】
［第２実施形態］
上記第１実施形態では、浴室乾燥仮プロファイルが導出される場合について説明したが、本第２実施形態では、浴室乾燥仮プロファイルが導出されない場合について説明する。なお、本第２実施形態では、上記第１実施形態で説明した構成要素については同一の符号を付してその説明を省略し、上記第１実施形態と異なる部分のみを説明する。
【０１２９】
一例として図１及び図２に示すように、本第２実施形態に係るガス消費状況推定装置８０は、ガス消費状況推定装置１０に比べ、ガス消費状況推定プログラム４０に代えてガス消費状況推定プログラム８６が二次記憶部１６に記憶されている点が異なる。また、上記第１実施形態では、ＣＰＵ１２が第２導出部４４として動作する場合について説明したが、本第２実施形態では、ＣＰＵ１２が、ガス消費状況推定プログラム８６を実行することで第２導出部９２として動作する点が上記第１実施形態と異なる。
【０１３０】
次に、本第２実施形態に係るガス消費状況推定処理について、図１３を参照して説明する。なお、以下では、上記第１実施形態に係るガス消費状況推定処理（図４参照）と同一の処理については同一のステップ番号を付してその説明を省略する。
【０１３１】
本第２実施形態に係るガス消費状況推定処理は、上記第１実施形態に係るガス消費状況推定処理に比べ、ステップ１０４，１０６の処理に代えて、ステップ２００，２０２，２０４の処理を有する点が異なる。また、本第２実施形態に係るガス消費状況推定処理は、上記第１実施形態に係るガス消費状況推定処理に比べ、ステップ１１２〜１２０の処理に代えてステップ２０６の処理を有する点が異なる。また、本第２実施形態に係るガス消費状況推定処理は、上記第１実施形態に係るガス消費状況推定処理に比べ、ステップ１２６の処理に代えてステップ２０８の処理を有する点が異なる。
【０１３２】
図１３に示すガス消費状況推定処理では、ステップ２００で、第２導出部９２は、二次記憶部１６から浴室乾燥参照情報を取得する。そして、第２導出部９２は、取得した浴室乾燥参照情報を参照して、ステップ１００Ｅで取得された総消費量プロファイル５８から浴室乾燥プロファイル６８を導出する。
【０１３３】
次のステップ２０２で、第２導出部９２は、ステップ２００で導出した浴室乾燥プロファイルを予め定められた出力先に出力し、その後、ステップ２０４へ移行する。
【０１３４】
ステップ２０４で、第２導出部９２は、ステップ１０２で導出した第１残存プロファイルから、ステップ２００で導出した浴室乾燥プロファイル６８に相当する部分を減じることで、第２残存プロファイルを導出する。
【０１３５】
ステップ２０８で、第２導出部９２は、ステップ２０６で導出した第３残存プロファイルから、ステップ１２２で導出したコンロプロファイルに相当する部分を減じることで、給湯プロファイル７２を導出する。
【０１３６】
以上説明したように、ガス消費状況推定装置８０では、第２導出部９２により、総消費量プロファイル５８から空調プロファイルに相当する部分が減じられることで第１残存プロファイルが導出される。また、第２導出部９２により、総消費量プロファイル５８及び浴室乾燥参照情報４８に基づいて浴室乾燥仮プロファイルが導出される。また、第２導出部９２により、総消費量プロファイル５８及び風呂保温参照情報５０に基づいて風呂保温プロファイル６４が導出される。また、第２導出部９２により、総消費量プロファイル５８及びコンロ参照情報５２に基づいてコンロプロファイルが導出される。そして、第２導出部９２により、第１残存プロファイルからコンロプロファイルに相当する部分が減じられることで給湯プロファイル７２が導出される。
【０１３７】
従って、ガス消費状況推定装置８０によれば、総消費量プロファイル５８のみで浴室乾燥プロファイル６８、風呂保温プロファイル６４、コンロプロファイル、及び給湯プロファイル７３を導出する場合に比べ、浴室乾燥プロファイル６８、風呂保温プロファイル６４、コンロプロファイル、及び給湯プロファイル７３を高精度に導出することができる。
【０１３８】
なお、上記第２実施形態では、第２導出部９２が第１〜第３残存プロファイルの存在を前提として給湯プロファイル７２を導出する場合について説明したが、第１〜第３残存プロファイルはなくてもよい。この場合、例えば、第２導出部９２は、総消費量プロファイル５８から、空調プロファイル、浴室乾燥プロファイル６８、風呂保温プロファイル６４、及びコンロプロファイルの各々に相当する部分を直接減じるようにしてもよい。
【０１３９】
［第３実施形態］
上記第２実施形態では、浴室乾燥プロファイル６８が導出される場合について説明したが、本第３実施形態では、浴室乾燥プロファイル６８が導出されない場合について説明する。なお、本第３実施形態では、上記各実施形態で説明した構成要素については同一の符号を付してその説明を省略し、上記各実施形態と異なる部分のみを説明する。
【０１４０】
一例として図１及び図２に示すように、本第３実施形態に係るガス消費状況推定装置８２は、ガス消費状況推定装置８０に比べ、ガス消費状況推定プログラム８６に代えてガス消費状況推定プログラム８８が二次記憶部１６に記憶されている点が異なる。また、上記第２実施形態では、ＣＰＵ１２が第２導出部９２として動作する場合について説明したが、本第３実施形態では、ＣＰＵ１２が、ガス消費状況推定プログラム８８を実行することで第２導出部９４として動作する点が上記第２実施形態と異なる。
【０１４１】
次に、本３実施形態に係るガス消費状況推定処理について、図１４を参照して説明する。なお、以下では、上記第２実施形態に係るガス消費状況推定処理（図１３参照）と同一の処理については同一のステップ番号を付してその説明を省略する。
【０１４２】
本第３実施形態に係るガス消費状況推定処理は、上記第２実施形態に係るガス消費状況推定処理に比べ、ステップ２００〜２０４の処理を有しない点が異なる。また、本第３実施形態に係るガス消費状況推定処理は、上記第２実施形態に係るガス消費状況推定処理に比べ、ステップ２０６の処理に代えてステップ３００の処理を有する点が異なる。また、本第３実施形態に係るガス消費状況推定処理は、上記第２実施形態に係るガス消費状況推定処理に比べ、ステップ２０８の処理に代えてステップ３０２の処理を有する点が異なる。
【０１４３】
図１４に示すガス消費状況推定処理では、ステップ３００で、第２導出部９４は、ステップ１０２で導出した第１残存プロファイルから、ステップ１１０で導出した風呂保温プロファイル６４に相当する部分を減じることで、第２残存プロファイルを導出する。
【０１４４】
ステップ３０２で、第２導出部９４は、ステップ３００で導出した第２残存プロファイルから、ステップ１２２で導出したコンロプロファイルに相当する部分を減じることで、給湯プロファイル７２を導出する。
【０１４５】
以上説明したように、ガス消費状況推定装置８２では、第２導出部９４により、総消費量プロファイル５８から空調プロファイルに相当する部分が減じられることで第１残存プロファイルが導出される。また、第２導出部９４により、総消費量プロファイル５８及び風呂保温参照情報５０に基づいて風呂保温プロファイル６４が導出される。また、第２導出部９４により、総消費量プロファイル５８及びコンロ参照情報５２に基づいてコンロプロファイルが導出される。そして、第２導出部９４により、第１残存プロファイルからコンロプロファイルに相当する部分が減じられることで給湯プロファイル７２が導出される。
【０１４６】
従って、ガス消費状況推定装置８２によれば、総消費量プロファイル５８のみで風呂保温プロファイル６４、コンロプロファイル、及び給湯プロファイル７２を導出する場合に比べ、風呂保温プロファイル６４、コンロプロファイル、及び給湯プロファイル７３を高精度に導出することができる。
【０１４７】
なお、上記第３実施形態では、第２導出部９４が第１残存プロファイル及び第２残存プロファイルの存在を前提として給湯プロファイル７２を導出する場合について説明したが、第１残存プロファイル及び第２残存プロファイルはなくてもよい。この場合、例えば、第２導出部９４は、総消費量プロファイル５８から、空調プロファイル、風呂保温プロファイル６４、及びコンロプロファイルの各々に相当する部分を直接減じるようにしてもよい。
【０１４８】
［第４実施形態］
上記第３実施形態では、風呂保温プロファイル６４が導出される場合について説明したが、本第４実施形態では、風呂保温プロファイル６４が導出されない場合について説明する。なお、本第４実施形態では、上記各実施形態で説明した構成要素については同一の符号を付してその説明を省略し、上記各実施形態と異なる部分のみを説明する。
【０１４９】
一例として図１及び図２に示すように、本第４実施形態に係るガス消費状況推定装置８４は、ガス消費状況推定装置８２に比べ、ガス消費状況推定プログラム８８に代えてガス消費状況推定プログラム９０が二次記憶部１６に記憶されている点が異なる。また、上記第３実施形態では、ＣＰＵ１２が第２導出部９４として動作する場合について説明したが、本第４実施形態では、ＣＰＵ１２が、ガス消費状況推定プログラム９０を実行することで第２導出部９６として動作する点が上記第３実施形態と異なる。
【０１５０】
次に、本４実施形態に係るガス消費状況推定処理について、図１５を参照して説明する。なお、以下では、上記第３実施形態に係るガス消費状況推定処理（図１４参照）と同一の処理については同一のステップ番号を付してその説明を省略する。
【０１５１】
本第４実施形態に係るガス消費状況推定処理は、上記第３実施形態に係るガス消費状況推定処理に比べ、ステップ１０８，１１０，３００の処理を有しない点が異なる。また、本第４実施形態に係るガス消費状況推定処理は、上記第３実施形態に係るガス消費状況推定処理に比べ、ステップ３０２の処理に代えてステップ４００の処理を有する点が異なる。
【０１５２】
図１４に示すガス消費状況推定処理では、ステップ４００で、第２導出部９６は、ステップ１０２で導出した第１残存プロファイルから、ステップ１２２で導出したコンロプロファイルに相当する部分を減じることで、給湯プロファイル７２を導出する。
【０１５３】
以上説明したように、ガス消費状況推定装置８４では、第２導出部９６により、総消費量プロファイル５８から空調プロファイルに相当する部分が減じられることで第１残存プロファイルが導出される。また、第２導出部９６により、総消費量プロファイル５８及びコンロ参照情報５２に基づいてコンロプロファイルが導出される。そして、第２導出部９６により、第１残存プロファイルからコンロプロファイルに相当する部分が減じられることで給湯プロファイル７２が導出される。
【０１５４】
従って、ガス消費状況推定装置８４によれば、総消費量プロファイル５８のみでコンロプロファイル及び給湯プロファイル７３を導出する場合に比べ、コンロプロファイル及び給湯プロファイル７３を高精度に導出することができる。
【０１５５】
なお、上記第４実施形態では、第２導出部９６が第１残存プロファイルの存在を前提として給湯プロファイル７２を導出する場合について説明したが、第１残存プロファイルはなくてもよい。この場合、例えば、第２導出部９６は、総消費量プロファイル５８から、空調プロファイル及びコンロプロファイルの各々に相当する部分を直接減じるようにしてもよい。
【０１５６】
また、上記第４実施形態では、家屋３８にコンロが設置されている場合について説明したが、本発明はこれに限定されるものではない。例えば、家屋３８にコンロが設置されていない場合、すなわち、家屋３８においてガスの用途が空調及び給湯のみの場合には、第１残存プロファイルが給湯プロファイル７２として導出される。
【０１５７】
また、上記各実施形態では、空調が暖房であることを前提として説明したが、本発明はこれに限定されるものではなく、空調が冷房であってもよい。この場合、例えば、第１近似直線αに代えて、総消費量プロファイル５８から特定される夏期の総消費量の７日間移動平均と水温情報により示される水温のうちの夏期の水温との対応関係を示す近似直線が採用される。また、第２近似直線βに代えて、総消費量プロファイル５８から特定される中間期の総消費量の７日間移動平均と水温情報により示される水温のうちの中間期の水温との対応関係を示す近似直線が採用される。
【０１５８】
また、上記各実施形態では、不在時間が電力プロファイルから特定される場合について説明したが、本発明はこれに限定されるものではなく、例えば、総消費量プロファイル５８から不在時間が特定されるようにしてもよい。また、電力プロファイル及び総消費量プロファイル５８の双方から不在時間が特定されるようにしてもよい。
【０１５９】
また、上記各実施形態では、家屋３８を例示したが、本発明はこれに限定されるものではなく、例えば、家屋３８が建てられている敷地を含めた居住領域であればよい。
【０１６０】
また、上記各実施形態では、ガス消費状況推定処理及び空調ガス消費状況推定処理を例示したがこれはあくまでも一例である。従って、主旨を逸脱しない範囲内において不要なステップを削除したり、新たなステップを追加したり、処理順序を入れ替えたりしてもよいことは言うまでもない。また、上記各実施形態で説明したガス消費状況推定処理及び空調ガス消費状況推定処理の各々に含まれる各処理は、ＡＳＩＣ（Application Specific Integrated Circuit）やプログラマブルロジックデバイス等のハードウェア構成で実現されてもよい。また、上記各実施形態で説明したガス消費状況推定処理及び空調ガス消費状況推定処理の各々に含まれる各処理は、ハードウェア構成とソフトウェア構成の組み合わせによって実現してもよい。
【符号の説明】
【０１６１】
１０，８０，８２，８４  ガス消費状況推定装置
１２  ＣＰＵ
４０，８６，８８，９０  ガス消費状況推定プログラム
４２  第１導出部
４４，９２，９４，９６  第２導出部
【図１】
0006504967.tif 000002
【図２】
0006504967.tif 000003
【図３】
0006504967.tif 000004
【図４】
0006504967.tif 000005
【図５】
0006504967.tif 000006
【図６】
0006504967.tif 000007
【図７】
0006504967.tif 000008
【図８】
0006504967.tif 000009
【図９】
0006504967.tif 000010
【図１０】
0006504967.tif 000011
【図１１】
0006504967.tif 000012
【図１２】
0006504967.tif 000013
【図１３】
0006504967.tif 000014
【図１４】
0006504967.tif 000015
【図１５】
0006504967.tif 000016